(57)【要約】【課題】ワンタッチでコンパクトに収納でき、しかも、再度使用するときに、クリップ同士あるいはクリップと鎖が絡み合うのを防止することができる多段式の洗濯物ハンガーを提供する。【解決手段】物干し竿を含む長尺体に係合させるための一対の係合手段３，３’と、係合手段３，３’の下端部に枢動可能に取り付けられ、水平に吊り下げられた第一の枠体２と、第一の枠体２の下方に水平に吊り下げられた少なくとも一つの枠体６，７と、枠体２，６，７の間にあって上方から見て係合手段３，３’と位置整合する位置に設けられ、上下隣接する枠体を連結し、上下端が枢動可能に前記枠体に取り付けられた連結手段（５と３または５’と３’）と、各枠体２，６，７の下部に取り付けられた複数のクリップ４と、を備えた。【選択図】図１
2009131468.tif 000002
【特許請求の範囲】
【請求項１】
物干し竿を含む長尺体に係合させるための一対の係合手段と、
前記係合手段の下端部に枢動可能に取り付けられ、前記係合手段によって水平に吊り下げられた第一の枠体と、
前記第一の枠体の下方に水平に吊り下げられた少なくとも一つの枠体と、
前記枠体の間にあって上方から見て前記係合手段と位置整合する位置に設けられ、上下隣接する枠体を連結し、上下端が枢動可能に前記枠体に取り付けられた連結手段と、
前記各枠体の下部に取り付けられた複数のクリップと、
を有することを特徴とする多段式の洗濯物ハンガー。
【発明の詳細な説明】
【技術分野】
【０００１】
本発明は、洗濯物を干すためのハンガー（以下「洗濯物ハンガー」という）に関する。
【０００２】
特に、本発明は、垂直方向に複数の枠体を多段式に吊り下げ、各段の枠体に取り付けられたクリップ（洗濯鋏）によって洗濯物を吊り下げて干すことができ、かつ、収納時に一つの吊り下げ具を外すことによって、ワンタッチ（一つの動作）で全枠体が折り畳まれ、これにより少ない収納スペースで収納することができる多段式洗濯物ハンガーに関する。
【背景技術】
【０００３】
一般に、物干し竿等に吊り下げ可能な水平な枠体を有し、前記枠体に多数のクリップ（洗濯鋏）を取り付け、前記クリップで洗濯物を吊り下げて干す洗濯物ハンガーが広く使用されている。
【０００４】
従来から、一つの洗濯物ハンガーに大量の洗濯物を吊り下げられるようにするために、垂直方向に複数の枠体を多段式に、各枠体が水平になるように吊り下げ、クリップ等を介して各枠体に洗濯物を吊り下げられるようにした多段式の洗濯物ハンガーが提案されている。
【０００５】
また、吊り下げる代わりに、一つの回転可能な支柱を有し、該支柱から複数の水平な腕を延ばし、前記支柱が回転すると前記腕が複数の水平回転面を形成するように、前記腕を多段式に設けた洗濯物ハンガーも提案されている。
【０００６】
上記の多段式洗濯物ハンガーによれば、垂直方向に複数の洗濯物をぶらさげられるようになり、高い空間の利用効率を実現することができた。
【０００７】
一方、全く異なる目的であるが、一部本発明と類似する構成を有する洗濯物ハンガーも特開平１０−２３５０８５号公報で提案されている。
【０００８】
従前の洗濯物ハンガーは、物干し竿等にかけるための一つのフックを有し、このフックに少なくとも３本の鎖を結びつけ、前記鎖の下端を前記枠体に連結し、このフックと鎖によって枠体を水平に吊り下げるようにしていた。前記枠体の下部には、前述したごとく、多数のクリップが取り付けられ、洗濯物が前記クリップによって吊り下げられるようになっていた。
【０００９】
上記従前の洗濯物ハンガーは、鎖に過大な荷重がかかることを防止するために、鎖の長さを長くせざるを得ず、そうすると物干し竿から枠体までの距離が長くなり、このために洗濯物ハンガーに吊り下げた洗濯物の下端が床等に接することがあった。
【００１０】
これに対して、特開平１０−２３５０８５号公報に開示された発明は、上記従前の課題を解決するために、上記フックと鎖に代えて、一対のフックを枠体に直接取り付けるようにした。
【００１１】
特開平１０−２３５０８５号公報に開示された発明によれば、物干し竿から枠体の距離が短くなり、このために、洗濯物の下端が床等に接する可能性を大いに低減することができた。
【特許文献１】特開平１０−２３５０８５号公報
【発明の開示】
【発明が解決しようとする課題】
【００１２】
上記従来の多段式の洗濯物ハンガーによれば、使用時は高い空間の利用効率を実現することができた。
【００１３】
しかし、使用終了後に該多段式洗濯物ハンガー収納するとき、あるいは再度使用する時に、多大な手間がかかる問題があった。
【００１４】
たとえば、上記多段式に枠体を吊り下げ多段式洗濯物ハンガーは、収納時にそのまま上下の枠体を重ねると、枠体に取り付けられたクリップ同士あるいはクリップと鎖が絡み合い、再度使用しようとするときに、多段式に枠体が吊り下げられた状態に戻すのに大変な困難を生じることがあった。
【００１５】
このように、クリップ同士あるいはクリップと鎖が絡み合うのを防止するために、収納する時に、各枠体を分解しあるいは区分けして収納することも考えられる。
【００１６】
しかし、収納時に多段式に吊り下げられた枠体を分解しあるいは区分けして収納することは、多大な手間と時間を要する問題があった。
【００１７】
一方、支柱から多段式に水平な腕を伸ばした洗濯物ハンガーは、全部の水平腕を畳むのに手間がかかり、かつ、支柱があるために、本質的にコンパクトに収納することができなかった。
【００１８】
そこで、本発明の目的は、多段式に枠体を吊り下げる多段式洗濯物ハンガーにおいて、ワンタッチでコンパクトに収納でき、しかも、再度使用するときに、クリップ同士あるいはクリップと鎖が絡み合うのを防止することができる多段式の洗濯物ハンガーを提供することにある。
【課題を解決するための手段】
【００１９】
本願発明による多段式洗濯物ハンガーは、
物干し竿を含む長尺体に係合させるための一対の係合手段と、
前記係合手段の下端部に枢動可能に取り付けられ、前記係合手段によって水平に吊り下げられた第一の枠体と、
前記第一の枠体の下方に水平に吊り下げられた少なくとも一つの枠体と、
前記枠体の間にあって上方から見て前記係合手段と位置整合する位置に設けられ、上下隣接する枠体を連結し、上下端が枢動可能に前記枠体に取り付けられた連結手段と、
前記各枠体の下部に取り付けられた複数のクリップと、
を有することを特徴とする。
【発明の効果】
【００２０】
本発明の多段式洗濯物ハンガーにおいては、係合手段が第一の枠体に枢動可能に取り付けられ、かつ、各枠体が連結手段によって枢動可能に連結されている。
【００２１】
吊り下げられている状態では、各枠体が水平に吊持され、係合手段と連結手段の枢動によって各枠体は水平に面内で平行移動する。
【００２２】
すなわち、横から見たときにもっとも明らかなように、上下隣接する枠体と連結手段が平行リンクになっている。常に、枠体同士および連結手段同士が互いに平行を保って変形する。
【００２３】
使用時は、第一の枠体が係合手段によって物干し竿等に係合しているため、第一の枠体は物干し竿等と平行な水平の状態に吊持されている。第一の枠体に吊り下げられている他の枠体は、上述した平行リンクの作用によって、第一の枠体と平行な水平な状態に吊持されている。
【００２４】
使用中に上記構成になっている本発明の多段式洗濯物ハンガーにおいて、使用後は、一対の係合手段のうちの片方を外すようにすることにより、収納に好ましいコンパクトな状態になり、かつ、クリップ同士が絡まることがなく収納することができる。
【００２５】
すなわち、使用後に、一対の係合手段のうちの片方を外すと、第一の枠体が残る片方の係合手段のみによって吊り下げられるようになり、重さによって第一の枠体が傾斜する。このとき、係合中の係合手段は枢動可能に第一の枠体に取り付けられているため、第一の枠体が傾斜するのを妨げることはない。
【００２６】
第一の枠体が傾斜すると、他の枠体は、連結手段の平行リンクの作用により、第一の枠体と平行を保って傾斜する。
【００２７】
これらの枠体の傾斜は、枠体同士が直接あるいはクリップを間に挟んで間接的に接触するまで進行し、最終的には、枠体が鎧戸状に折り畳まれた状態になり、係合中の一つの係合手段により多段式洗濯物ハンガーの全体が吊り下げられるようになる。
【００２８】
各枠体が鎧戸状に折り畳まれることにより、全体の占める容積が最小になり、コンパクトに収納することができる。
【００２９】
また、収納の過程で、各枠体に取り付けられたクリップは垂直に垂れ下がり、枠体が傾斜をしていく途中で互いに絡むことがない。
【００３０】
また、最終的に枠体が鎧戸状に折り畳まれた状態では、各枠体に取り付けられたクリップは、隣接する枠体を隔てて、他の枠体に取り付けられたクリップと距離を保っているため、互いに絡み合うことがない。
【００３１】
このため、再度使用するときに、外された片方の係合手段を持ち上げることにより、収納時と逆の過程をたどって元の吊り下げられた状態に戻ることができ、クリップ同士が絡み合って元の多段式に枠体が吊り下げられた状態に戻すために妨げになることがない。
【発明を実施するための最良の形態】
【００３２】
以下、本発明の好ましい一つの実施形態を記載する。
【００３３】
図１に本実施形態による多段式洗濯物ハンガー１の全体を示す。
【００３４】
図１の多段式洗濯物ハンガー１は、図示しない物干し竿等の長尺体に吊り下げられた使用状態の多段式洗濯物ハンガー１を示している。
【００３５】
本実施形態の多段式洗濯物ハンガー１は、全体として３段の枠体を有し、各段の枠体が全く同様の構造を有している。
【００３６】
最上部の枠体、すなわち第一の枠体２は、上方から見たときに、ほぼ長方形の枠を有し、該枠の内部に枠の短辺に平行な２本のリブを有している。
【００３７】
枠及びリブは重さを軽減するために内部が空洞に形成されている。
【００３８】
なお、枠体は任意の形状にすることができ、当業者が通常用いる手段によって、材料・寸法・補強部材・形状等を任意に変更することができる。
【００３９】
第一の枠体２の上部には、物干し竿を含む長尺体に係合させるための一対の係合手段３，３’が、基部が枢動可能に設けられている。
【００４０】
一対の係合手段３，３’は、係合手段３，３’によって吊り下げられたときに、第一の枠体２が重さ的にバランスし、水平に吊り下げられるような位置に取り付けられることが好ましい。
【００４１】
換言すると、一対の係合手段３，３’は、第一の枠体２に対して物干し竿を含む長尺体（図示せず）の軸方向、すなわち図１において示したＸ方向に配設され、第一の枠体２が係合手段３，３’によって吊り下げられたときに、水平に吊り下げられるような位置に配設されている。
【００４２】
一対の係合手段３，３’の各基部は、第一の枠体２に対して少なくとも図１のＸ−Ｚ面内で枢動可能に、すなわち図１に示す方向Ｐに枢動可能に第一の枠体２に取り付けられている。むろん、係合手段３，３’をＹ−Ｚ面内でも枢動可能にすることができる。
【００４３】
また、本実施形態の多段式洗濯物ハンガー１ではさらに、一対の係合手段３，３’はそれぞれ図１のＸ−Ｙ面内で回転可能に、すなわち図１に示す方向Ｒに回転可能に設けられているが、この点は不可欠ではない。
【００４４】
また、本実施形態の多段式洗濯物ハンガー１では、一対の係合手段３，３’はフックからなるが、一対の係合手段３，３’は図示しない物干し竿等に係合させられればよく、当業者が任意に選択し得る代替の係合手段、たとえばクリップあるいはリングあるいはストラップ等であってもよい。
【００４５】
第一の枠体２の下方には、多数のクリップ４が設けられている。
【００４６】
図１においては、クリップ４は通常の洗濯鋏であるが、本発明において「クリップ」は洗濯物を吊り下げるために使用されるものを包含する上位概念の意味で用いられている。
【００４７】
第一の枠体２の下部の、上から見て係合手段３，３’と位置整合する位置に、一対の連結用フック５，５’が取り付けられている。
【００４８】
連結用フック５，５’は、上部の基端が少なくとも図１のＸ−Ｚ面内で枢動可能に、すなわち図１に示す方向Ｓに枢動可能に第一の枠体２に取り付けられている。むろん、連結用フック５，５’ をＹ−Ｚ面内でも枢動可能にすることができる。
【００４９】
第一の枠体２の下部には２つの枠体６，７が吊り下げられている。
【００５０】
枠体６，７は、それぞれ係合手段とクリップと連結用フックとを有している。
【００５１】
枠体６，７の係合手段とクリップと連結用フックは、第一の枠体２の係合手段とクリップと連結用フックと全く同様であるので、同一部分には同一の符号を付して重複する説明を省略する。
【００５２】
ここで、第一の枠体２と枠体６，７の間を連結する「連結手段」について説明する。
【００５３】
図１の多段式洗濯物ハンガー１において、第一の枠体２と枠体６、および、枠体６と枠体７の間は、連結用フック５，５’と係合手段３，３’が存在し、連結用フック５，５’と係合手段３，３’によって枠体同士が連結されている。
【００５４】
本実施形態では、連結用フック５と係合手段３、あるいは、連結用フック５’と係合手段３’が連結手段を構成している。すなわち、連結用フック５と係合手段３が一つの連結手段を構成し、連結用フック５’と係合手段３’が一つの連結手段を構成している。しかし、連結用フック５と係合手段３、あるいは、連結用フック５’と係合手段３’に代えて一部材からなる連結手段としてもよい。
【００５５】
一部材からなる連結手段の例としては、棒状の部材、あるいは、フック状の部材、あるいは、鎖等の紐状の部材が考えられる。これらの連結手段は、上下の枠体に少なくともＸ−Ｚ面内の方向Ｓに枢動可能に取り付けられているのが好ましい。
【００５６】
また、さらに好ましくは、上下端部のいずれかあるいは双方が枠体に対して着脱可能に取り付けられているのが好ましい。
【００５７】
また、連結手段は、本実施形態のように、途中で分離可能に形成されていてもよい。
【００５８】
特に、本実施形態の多段式洗濯物ハンガー１のように構成すれば、以下の利点がある。
【００５９】
本実施形態によれば、枠体６，７を任意に第一の枠体２に取り付けあるいは取り外しすることができる。
【００６０】
これにより、洗濯物の量によって吊り下げる枠体６，７，・・・を任意に増減することができる。
【００６１】
また、物干し竿を含む長尺体と床面の距離に合わせて、吊り下げる枠体６，７，・・・を任意に増減することができる。
【００６２】
さらに、本実施形態のように、第一の枠体２とその係合手段と連結用フックとクリップ、および、枠体６，７とそれらの係合手段と連結用フックとクリップを全く同様の構造にすることにより、生産者にとっては画一的な製品を製作でき、使用者にとっては必要な個数に合わせて任意に購入することができる利点を有する。
【００６３】
図１に示す吊り下げた状態で、各枠体２，６，７のクリップ４に洗濯物を吊して干せば、上下に洗濯物を吊して干すことができ、空間の利用効率をきわめて高くすることができる。
【００６４】
本実施形態の多段式洗濯物ハンガー１では、図１のような使用状態において、各枠体２，６，７が水平に吊持され、連結手段（連結用フック５と係合手段３、あるいは、連結用フック５’と係合手段３’）の枢動によって各枠体は水平に面内で平行移動する。
【００６５】
横から見たときにもっとも理解容易なように、多段式洗濯物ハンガー１の上下隣接する枠体と連結手段は平行リンクになっている。すなわち、枠体同士および連結手段同士は常に平行を保って変形する。
【００６６】
上記構造と平行リンクの関係を念頭に、多段式洗濯物ハンガー１を収納するときの作用効果について以下に説明する。
【００６７】
図２は、多段式洗濯物ハンガー１を収納した状態を示している。ただし、図２においては、図面の煩雑を避けるために、枠体の中央部分のクリップ４は省略している。
【００６８】
図２において、図１と同一の部分については同一の符号を付して示す。
【００６９】
多段式洗濯物ハンガー１を収納するときは、図１の状態から片側の係合手段３’を物干し竿から外す。
【００７０】
係合手段３’を物干し竿から外すことにより、第一の枠体２が残る係合手段３のみによって吊り下げられるようになり、支点の不均衡と重力により、第一の枠体２が傾斜する。
【００７１】
第一の枠体２が傾斜する際に、係合手段３は少なくとも図１の方向Ｐに枢動可能に第一の枠体２に取り付けられているため、第一の枠体２が傾斜することを妨げない。
【００７２】
第一の枠体２が傾斜すると、他の枠体６，７は、前述した連結手段の平行リンクの作用により、第一の枠体２と平行を保って傾斜する。
【００７３】
枠体２，６，７の傾斜は、枠体同士が直接あるいはクリップ４を間に挟んで間接的に接触して止まるまで進行し、最終的には、図２に示すように、枠体２，６，７が鎧戸状に折り畳まれた状態になる。
【００７４】
このとき、多段式洗濯物ハンガー１は、図示しない物干し竿等に係合している片方の係合手段３のみによって全体が吊り下げられるようになる。
【００７５】
図２に示された状態では、各枠体２，６，７が鎧戸状に折り畳まれ、使用時に比べて全体の占める容積が最小になり、多段式洗濯物ハンガー１をコンパクトに収納することができる。
【００７６】
また、上記収納の過程で、各枠体２，６，７に取り付けられたクリップ４は垂直に垂れ下がり、枠体２，６，７が傾斜をしていく途中で互いに絡むことがない。
【００７７】
また、最終的に枠体２，６，７が図２に示すように鎧戸状に折り畳まれた状態では、各枠体２，６，７に取り付けられたクリップ４は、隣接する枠体を隔てて、他の枠体に取り付けられたクリップ４と距離を保っているため、互いに絡み合うことがない。
【００７８】
このため、再度使用するときに、外された片方の係合手段３’を持ち上げることにより、収納時と逆の過程をたどって元の吊り下げられた状態に戻ることができ、クリップ４同士が絡み合って多段式洗濯物ハンガー１を元の吊り下げ状態に戻す妨げになることがない。
【００７９】
多段式洗濯物ハンガー１は、図２に示すように係合手段３を物干し竿等に係合させたままにしてもよいし、枠体が鎧戸状に折り畳まれた状態で係合手段３を外して保管すべき場所に移してもよい。
【００８０】
このように、本発明によれば、一対の係合手段のうちの片方の係合手段を外すというワンタッチの動作により、枠体が自動的に傾斜して鎧戸状に折り畳まれた状態になり、これにより多段式洗濯物ハンガーをコンパクトに収納でき、しかも、収納の過程と最終的な収納状態で各枠体に取り付けられたクリップは互いに接触せず、絡み合うこともないため、再度使用するときは、上記外した係合手段を持ち上げるのみで、各段の枠体が水平な状態に戻り、容易に枠体が多段的に水平に吊り下げられた状態に戻すことができる。
【００８１】
なお、図１，２の実施形態のように、第一の枠体２とその係合手段（３，３’）と連結用フック（５，５’）とクリップ４、および、枠体６とその係合手段（３，３’）と連結用フック（５，５’）とクリップ４、および、枠体７とその係合手段（３，３’）と連結用フック（５，５’）とクリップ４を、それぞれ本発明の多段式洗濯物ハンガーを構成する組立体とし、これらの構成組立体を別個の製品として販売等しても本発明の範疇に含まれる。
【００８２】
また、枠体（２，６，７）とその係合手段（３，３’）とクリップ４に対して、連結用フック（５，５’）を着脱可能に構成し、それらを別個に販売等しても本発明の範疇に含まれる。
【図面の簡単な説明】
【００８３】
【図１】本発明の一実施形態による多段式洗濯物ハンガーの使用状態を示す斜視図。
【図２】本発明の一実施形態による多段式洗濯物ハンガーの収納状態を示す斜視図。
【符号の説明】
【００８４】
１  多段式洗濯物ハンガー
２  第一の枠体
３  係合手段
３’  係合手段
４  クリップ
５  連結用フック
５’  連結用フック
６  枠体
７  枠体
【図１】
2009131468.tif 000003
【図２】
2009131468.tif 000004